(57)【要約】      （修正有）【課題】研磨砥粒として微細なダイヤモンド粒子を使用によって離脱させることなく基材に定着し、かつ使用時の人体に対する障害を予防する処理を施し、安定医用できる構成の爪の調整具を提供する。【解決手段】扁平な基材２の把持部を除く表裏両面もしくは片面に、砥粒５として微細なダイヤモンド粒子を分布電着して研磨層３′を形成し、この研磨層３′を形成する前記砥粒５は、その尖端部分５ａのみを露出させて他の周面を基材２に付したニッケル層（ベース層４）と砥粒５の表層に積層するニッケル以外の非鉄金属の被覆保持層６によって基材２に固着されている。【選択図】図３
0003208631.tif 000002
【実用新案登録請求の範囲】
【請求項１】
把持するのに適応した外形寸法で扁平な基材の把持部を除く表裏両面もしくは片面に、砥粒として微細なダイヤモンド粒子を分布させて電着した研磨層を形成し、前記研磨層を形成する前記ダイヤモンド粒子はその尖端部分のみを露出させて他の周面を基材に付したニッケル層と砥粒の表層に積層するニッケル以外の非鉄金属の被覆保持層によって基材に固着されていることを特徴とする爪の調整具。
【請求項２】
基材表面（裏面）に形成される研磨層は、基材表面に形成したニッケル層上に、ダイヤモンド粒子を電着保持させ、二次処理として前記ニッケル層上に定着の前記ダイヤモンド粒子を非鉄金属によるスパッタリング処理にて被覆保持層を形成して固定保持させ、ダイヤモンド粒子の尖端に付着している非鉄金属皮膜を除去して露出させた構成とする請求項１に記載の爪の調整具。
【請求項３】
前記被覆保持層は金属チタンのスパッタリングにより形成する請求項１または２に記載の爪の調整具。
【考案の詳細な説明】
【技術分野】
【０００１】  この考案は、主として爪の手入れに用いる用具に関するものである。より詳しくは、手足の爪の周端部を削り、爪表面を研磨して整え、光沢を出すなど爪の手入れに使用して効果的な爪の調整具に関する。
【背景技術】
【０００２】  従来、たとえば個性を引き立たせるような目的で手足の爪の表面に装飾を施す、いわゆるネールアートが広く知られている。この爪の表面に装飾を施すためには、爪の周囲を整え表面を磨いて平滑にし、ネール専用の樹脂液を塗布する必要がある。【０００３】  このような手足の爪の表面を磨くのに便利な爪磨き具としては、既に種々なものが提案されている。一般的に提案されている爪磨き具としては、例えば平たく細長い芯材の一方の面にスポンジ層を貼り付けて、そのスポンジ層表面に一般的な研磨砥粒を接着剤で付着して研磨層を形成し、他方の面にスポンジ層を貼着した構造のものが、特許文献１または特許文献２に記載されている。この爪磨き具では、研磨砥粒を付着させた部分で爪表面をあら磨きしてスポンジ層の表面で磨いて艶出しするようにしたものである。【０００４】  しかしながら、前記文献や一般的に知られている爪磨き具にあっては、心材の表面にスポンジ層を介して粘着剤（接着剤）によって研磨砥粒を付着したものであるので、当然のことながら使用によって研磨砥粒が剥離して脱落し、やがて使用に耐えられなくなるという問題点がある。特に、研磨砥粒が部分的に剥落することで、研磨面が不均等になり、そのまま使用を続けると研磨層の不均一で浮き上がりやむき出しとなった砥粒によって、磨いているつもりが爪表面に傷を付けることになり不具合である。【０００５】  一方、研磨砥粒が付着された研磨層をヤスリの基台上に設ける手段として、前述のように研磨砥粒を敷き詰めた状態に付着させたスポンジ層を貼着する構成での問題点を解決しようとするために、やすり本体の表面に直接接着剤の層を設けて、この接着剤層によって砥粒を付着させ、さらに砥粒を樹脂材で保護コーティングしたものが特許文献３によって開示されている。この文献によれば、研磨砥粒をやすり本体に付着させるのにメッキ方式では処理が煩雑で、かつ砥粒の表面が金属皮膜で覆われて良好な研磨作用を得ることができないなど問題があるので、前述のような接着剤層にて砥粒を付着固定する方式を採用したことが記されている。【０００６】  しかしながら、前記特許文献３に記載されている構成の爪やすりでは、やすり本体の表面に接着剤を塗布形成してなる接着剤層上に微細な砥粒を均等に付着させることは容易でなく、どうしても砥粒の分布密度差が生じ、しかも砥粒を同一レベルに揃えて付着させることが困難であることから、従来の研磨布（紙やすり）のような研磨面の構成がむつかしく、理論的には一見成立するが実用的でない、という問題点がある。【０００７】  このほかに、例えば特許文献４によって開示されているように、立体構造で構成される研磨面が凹面構造にされた爪やすりが知られているが、人体の手足の爪に対してやすりの研磨面が大きな面積を有し、かつ凹曲面をした研磨面では爪に対してこのやすりをあてがって、摺動させて磨くには対象となる爪の面積に比べてやすりの研磨面が大きいことから、爪以外の部分にも研磨面が接触することになるので、指を傷つけやすいことになり、また嵩張ることから取り扱い難く、一見合理的に見えるが実用的でないという問題点がある。
【先行技術文献】
【特許文献】
【０００８】
【特許文献１】特開２００６−３４６４２５号公報
【特許文献２】特開昭６２−２９５６０９号公報
【特許文献３】特開平５−９１９１８号公報
【特許文献４】特許第４１６１３０５号公報
【考案の開示】
【考案が解決しようとする課題】
【０００９】  本考案においては、取扱いが容易で研磨面を形成する砥粒が“やすり基材”に対して一体的で強固に付着され、使用に際して対象面に対して自由に当てがって支障なく、砥粒の剥離などが全く生じない簡単な構成の爪の調整具を提供することを目的とするものである。
【課題を解決するための手段】
【００１０】  このような目的を達成するために本考案の爪調整具は、
把持するのに適応した外形寸法で扁平な基材の把持部を除く表裏両面もしくは片面に、砥粒として微細なダイヤモンド粒子を分布させて電着した研磨層を形成し、前記研磨層を形成する前記ダイヤモンド粒子はその尖端部分のみを露出させて他の周面を基材に付したニッケル層と砥粒の表層に積層するニッケル以外の非鉄金属の被覆保持層によって基材に固着されていることを特徴とするものである。【００１１】  前記考案において、基材表面（裏面）に形成される研磨層は、基材表面に形成したニッケル層上に、ダイヤモンド粒子を電着保持させ、二次処理として前記ニッケル層上に定着の前記ダイヤモンド粒子をニッケル以外の非鉄金属によるスパッタリング処理にて被覆保持層を形成して固定保持させ、ダイヤモンド粒子の尖端に付着している非鉄金属皮膜を除去して露出させた構成とするのがよい。【００１２】  前記被覆保持層は金属チタンのスパッタリングにより形成するのが好ましい。また、前記研磨層形成部以外の把持部については、たとえば、疑似七宝などで装飾性を扶養することにより、把持部の肉厚を持たせると同時に意匠効果をもたらすことができる。
【考案の効果】
【００１３】  本考案によれば、研磨部が微細なダイヤモンド粒子（砥粒）を分布電着するとともに、その砥粒を被覆保護層によって自立定着させ基材と一体にし、砥粒の尖端部のみを露出させて研磨層を形成してあるので、長期にわたり研磨機能を維持させて爪とぎ効果を著しく高めた用具とすることができる。しかも、そのダイヤモンド粒子をニッケル層に電着して定着させているので、基材上に形成したニッケル層が人体に影響を与えないようにニッケル以外の非鉄金属膜（被覆保持層）で覆い、やすり使用時における人体に対する障害を防護するように配慮されている。
【図面の簡単な説明】
【００１４】
【図１】図１は本考案による爪の調整具の一実施形態を表す全体斜視図である。
【図２】図２は図１のＡ−Ａ視拡大断面図である。
【図３】図３は研磨部の一部を拡大して表わす断面図である。
【図４】図４は他の実施形態の要部を表す斜視図である。
【図５】図５は他の実施形態の要部の縦断面図である。
【考案を実施するための形態】
【００１５】  次に、本考案の爪の調整具について、その一実施形態を表す図面を参照しつつ説明する。
【００１６】  この実施形態の爪の調整具１は、一部を手でもって操作できるに適した細長くて扁平な形状の基材２に、その上下両面における図上前半部部分を研磨部３とし、残る後半部分を上下に厚みを持たせて把持するのに有効な把持部７としたものである。
【００１７】  前記爪の調整具１の基材２としては、例えばステンレス鋼（これに限定されるものではない。）の薄板を使用し、先端部と後端部とを円弧状に形成した細長い形状となっている。
【００１８】  そして、基材２の全長のほぼ半分を占める前半部分に設けられた研磨部３は、電気メッキ処理により基材２の表裏両面にニッケル被膜によるベース層４（本考案の「ニッケル層」に相当する）を設け、このベース層４の上面に微細粒径のダイヤモンド粒子にてなる砥粒５（以下、単に「砥粒５」という）を分布して電着し、さらにその砥粒５を含む上面を、前記ベース層４を形成するニッケルと親和性のあるニッケル以外の非鉄金属を用いてスパッタリング処理し、砥粒５をベース層４上に自立固定させて支持する被覆保持層６が形成されている。ここで使用する砥粒５としては、粒径が５０〜４００メッシュ（ＡＳＴＭ）のものを用いるのが好ましい。
【００１９】  前記被覆保持層６は、例えば金属チタンをスパッタリングして形成することにより、研磨部３におけるベース層４のニッケル被膜層をカバーして爪の研磨（研削）に際して手指（または足指）の皮膚にニッケルが接触するのを防止し、安全衛生上の問題を生じないようにする役目を果たす。なお、スパッタリングによって覆われた砥粒５の尖端部５ａは、被膜を例えば機械的に擦過除去して尖鋭部分を露出させておく。
【００２０】  前述のように形成された研磨部３以外の部分、すなわち基材２の後半部分には、例えば疑似七宝を施して研磨部３よりも厚肉に形成することにより把持する際に持ちやすい状態とすると同時に、把持部分に装飾を施すことができ、美的効果を高めることができる。また、前記研磨部３においては、例えば金属チタンによるスパッタリングで所望の色調（例えば金色など）を具現するようにしておけば、把持部７の疑似七宝による色調と相俟って美的効果の高いものとすることができる。
【００２１】  このような構成の本実施形態の爪の調整具１は、把持部７（把持柄）を手でもって処理しようとする手指先の爪表面に研磨部３をあてがい、爪と交差する方向に軽く水平に、あるいは爪表面の局面に沿うように動かすことで、研磨部３の表面に僅かに露出した砥粒５の尖端部５ａによって細かく擦過することで磨くことができる。この際、研磨部３に無数にちりばめられて固着している砥粒５は、ダイヤモンド粒であるから、その尖端部５ａがごく僅かに被覆保持層６の表面から露出して尖鋭状態に保たれて研磨機能を充分に発揮されるのである。
【００２２】  そして、研磨部３における砥粒５は、爪磨き操作を繰り返し行っても、前述のように砥粒５がベース層４と被覆保持層６とによって自立保持されているので、一般の砥石における砥粒のように、砥粒が適度の剥離をすることにより新たな砥粒を露出させて研磨機能を維持するものではなく、硬度の高いダイヤモンド粒子を用いることにより使用によって砥粒を剥離させることなく研磨面（研磨層３′）を保持でき、先端部の鋭利さが維持されて長期使用に耐えるのである。
【００２３】  また、本実施形態の爪の調整具１は、研磨部３の無数の砥粒５（ダイヤモンド粒子）を保持させるとともにベース層４の露出をカバーするのに非鉄金属（実施形態では金属チタン）のスパッタリングによる被覆保持層６を設けているので、そのスパッタリングされた表面が特有の金属光沢を呈して美的効果が合わせて得られる。また、把持部７に疑似七宝を施しておくことにより、前記研磨部３との組み合わせで装飾性が高まり、一種の装飾具として所有者に愛着感を与える用具とすることができる。なお、場合によっては把持部７をプラスチックで覆うようにして形成することもできる。
【００２４】  以上に記述の本考案に係る爪の調整具は、爪表面の研磨について説明したが、爪の端面を整えるのに研磨して周端面を研ぎ落すこともできる。また、図４に例示するように、研磨部３を把持部７よりも細幅に形成して、爪の細部（隅部など）を研磨するのに特化したものとすることができる。またさらに、前記研磨層３′は、必要に応じて基材の片面のみに形成するようにしてもよい。
【００２５】  また、本考案に係る爪の調整具としては、図５に例示するように、研磨部３Ａ部分を緩やかな内向き彎曲面Ｐとなるようにしてもよい。この場合、砥粒５を定着させた研磨層３′は基材２の内向き弯曲面Ｐにのみ形成するのがよい。
以上の実施形態は、この考案の技術的範囲に属するものであることは言うまでもない。
【符号の説明】
【００２６】１        爪の調整具
２        基材
３，３Ａ        研磨部
３′      研磨層
４        ベース層
５        砥粒（ダイヤモンド粒子）
５ａ      砥粒の尖端部
６        被覆保持層
７        把持部（把持柄）
【図１】
0003208631.tif 000003
【図２】
0003208631.tif 000004
【図３】
0003208631.tif 000005
【図４】
0003208631.tif 000006
【図５】
0003208631.tif 000007